(57)【要約】【課題】高い保形性を確保できるバスト用のサポート材及び衣類を提供する。【解決手段】一形態にかかるサポート材は、樹脂材を含む材料から、孔部を複数有するシート状に構成され、湾曲した帯状のベース部位と、前記ベース部位の、着用時のバストセンター側の端部から、着用時の頭部側に突出する突出部位と、を一体に備えることを特徴とするバスト用衣類のサポート材。【選択図】図１
2016211115.tif 000002
【特許請求の範囲】
【請求項１】
樹脂材を含む材料から、孔部を複数有するシート状に構成され、
湾曲した帯状のベース部位と、前記ベース部位の、着用時のバストセンター側の端部から、着用時の頭部側に突出する突出部位と、を一体に備えることを特徴とするバスト用衣類のサポート材。
【請求項２】
ショア硬度５０ＨＳ以下の熱可塑性樹脂で構成されることを特徴とする請求項１記載のサポート材。
【請求項３】
中央側が隆起する椀形状に構成された一対のカップ部と、
樹脂を含む材料から、複数の孔部を有するとともに弾性変形可能に構成され、前記カップ部の下側の領域に配されるベース部と、前記ベース部のバストセンター側の端部から、前記カップ部の上方に向けて突出する突出部位と、を有するサポート部と、を備えたことを特徴とするバスト用衣類。
【請求項４】
前記サポート部は、バストの外側部位から、下側を通ってセンター側に至る領域に対応して配され、前記カップ部の表面積の９％以上の面積を有することを特徴とする請求項３記載のバスト用衣類。
【請求項５】
前記突出部位は前記カップのセンター側の端部から、上方かつ前記カップ部の中央側に延びることを特徴とする請求項３記載のバスト用衣類。
【請求項６】
前記サポート部における前記孔部の空隙率は２０％以上であることを特徴とする請求項３記載のバスト用衣類。
【請求項７】
前記突出部位の頂部は、前記カップ部の隆起のトップの位置よりも上方に位置することを特徴とする請求項３記載のバスト用衣類。
【発明の詳細な説明】
【技術分野】
【０００１】
本発明の実施形態は、バスト用衣類のサポート材及びバスト用衣類に関する。
【背景技術】
【０００２】
ブラジャーやスリップなど、女性のバストに装着するバスト用衣類において、バスト部分を支持し、あるいは補正するために、バスト部に配置されるカップ部の下縁に湾曲形状の金属製のワイヤーを設ける技術が知られている。
【０００３】
金属製の細いワイヤーを設ける場合、肌当たりが強く着用時に違和感が生じる場合がある。これに鑑みて、装着時の肌当たりを良好にするために、金属製のワイヤーより弾性変形しやすい湾曲形状の樹脂製のプレートを用いる技術も提供されている。
【先行技術文献】
【特許文献】
【０００４】
【特許文献１】特開２０１２−１９７５２２号公報
【特許文献２】特開平１１−１４０７０９号公報
【特許文献３】実用新案登録第３１７３２８５号公報
【発明の概要】
【発明が解決しようとする課題】
【０００５】
しかしながら、弾性変形しやすい樹脂製のプレートをサポート材として用いる場合、通気性を確保する等の理由から面積に制約があり、サポート材及び衣類の高い保形性が確保できず、バストの補正機能を確保することが困難である。このため、着用感が良好で高い保形性及び補正機能を確保できるバスト用衣類のサポート材及びバスト用衣類が望まれている。
【課題を解決するための手段】
【０００６】
本発明の一形態にかかるサポート材は、樹脂材を含む材料から、孔部を複数有するシート状に構成され、湾曲した帯状のベース部位と、前記ベース部位の、着用時のバストセンター側の端部から、着用時の頭部側に突出する突出部位と、を一体に備えることを特徴とする。
【０００７】
本発明の一形態にかかるバスト用衣類は中央側が隆起する椀形状に構成された一対のカップ部と、樹脂を含む材料から、複数の孔部を有するとともに弾性変形可能に構成され、前記カップ部の下側の領域に配されるベース部と、前記ベース部のバストセンター側の端部から、前記カップ部の上方に向けて突出する突出部位と、を有するサポート部と、を備えたことを特徴とする。
【発明の効果】
【０００８】
本発明によれば、高い保形性を確保できるバスト用のサポート材及び衣類を提供できる。
【図面の簡単な説明】
【０００９】
【図１】第１実施形態にかかるブラジャーの構成を示す説明図。
【図２】同ブラジャーの構成を示す説明図。
【図３】同ブラジャーの構成を示す斜視図。
【図４】同ブラジャーの構成を示す断面図。
【図５】同ブラジャーのサポート材の形状を示す説明図。
【図６】本発明の第２実施形態にかかるサポート材の形状を示す説明図。
【発明を実施するための形態】
【００１０】
以下、本発明の第１実施形態にかかるバスト用衣類の一例としてのブラジャー１について図１乃至図５を参照して説明する。図１は本実施形態に係るブラジャー１を表面側から見た説明図であり、図２は裏面側から見た説明図である。図３はブラジャー１の斜視図であり、図４はブラジャー１の断面図である。図５は、ブラジャー１のサポート材２０Ａの形状を示す説明図である。なお、各図では説明のため、適宜構成を拡大、縮小、省略して模式的に示している。本実施形態において、上下左右等の方向は、ブラジャー１を着用した立位状態の着用者を基準としてそれぞれ示している。
【００１１】
図１乃至図３に示すバスト用衣類であるブラジャー１は、一対のカップ部１０と、各カップ部１０の外側端に接続される一対のベルト部３１と、一対のカップ部１０の上部と一対のベルト部３１の中途部とに接続されるショルダーストラップ３２と、を備えている。
【００１２】
各カップ部１０は、バストの一対の乳房にそれぞれ対応し、着用時に各乳房を覆うように配置される。各カップ部１０は、中央側に最も隆起する頂部を備える椀形状に構成されている。一対のカップ部１０は横方向において対称に構成され、左右に並列して配置されている。一対のカップ部１０の端部同士がバストのセンター部で連結されている。
【００１３】
一対のカップ部１０は、それぞれ、下方に凸となる弓なりのカーブを呈する下縁１０ｂと、センター部から湾曲して斜め上に延び上端に至る内側縁１０ｃと、下縁１０ｂの外側端から湾曲して斜め上に延び上端に至る外縁１０ｄと、を有している。一対のカップ部１０の下縁１０ｂの外側に、ベルト部３１がそれぞれ接続されている。
【００１４】
一対のベルト部３１の他端には連結具３１ｂ，３１ｃがそれぞれ設けられている。装着時には背部において一対のベルト部３１の他端の連結具３１ｂ，３１ｃ同士が互いに連結される。ベルト部３１には必要に応じて補強用の芯材３１ａが設けられている。
【００１５】
また、一対のカップ部１０の上端に、ショルダーストラップ３２の一端が連続している。
ショルダーストラップ３２は、可撓性の帯状である。ショルダーストラップ３２の他端は、着用時に背部に相当する位置で一対のベルト部３１に連結されている。ショルダーストラップ３２にはストラップ長さを調節する調整機構３２ａが設けられている。
【００１６】
図４に示すように、カップ部１０は、裏側から順番に、第１のカップ層１１と、第２のカップ層１２と、第３のカップ層１３と、表地１４と、を積層して備え、第２のカップ層１２と第３のカップ層１３の間の下部領域にサポート部２０が配置されている。
【００１７】
第１のカップ層１１は、所定のカップ形状に成型されたクッション材である。第１のカップ層１１は、例えば裏側の面が布地１１ａでラミネートされた発泡性のポリウレタンシート１１ｂが所定形状にモールド加工されて構成される。
【００１８】
第２のカップ層１２は、所定のカップ形状に成型されたクッション材である。第２のカップ層１２、例えば発泡性のポリウレタンシートがサポート材２０Ａとともに所定のカップ形状にモールド加工されて構成される。
【００１９】
第３のカップ層１３は、所定のカップ形状に成型されたクッション材である。第３のカップ層１３、例えば表側の面が布地１３ａでラミネートされた発泡性のポリウレタンシート１３ｂが所定形状にモールド加工されて構成される。
【００２０】
表地１４は例えば綿や合成繊維からなる布地で構成される。
【００２１】
サポート部２０は、カップ部１０の下部領域に設けられ、下縁部分を含む領域に配置されている。サポート部２０は、例えば可撓性を有する所定形状の樹脂性のサポート材２０Ａが、第２のカップ層１２とともにカップ形状にモールド加工され、第２のカップ層１２に接合されている。
【００２２】
図５は、成形前のサポート材２０Ａの構成を示す平面図である。サポート材２０Ａは、樹脂材により可撓性に構成されたシートである。サポート材２０Ａは、バストの下縁部に沿って湾曲したカーブを呈する帯状のベース部位２１と、ベース部位２１のセンター側の端部からベース部位２１Ａのカーブ方向よりも上方に突出する突出部位２２と、を連続して一体に備える。
【００２３】
ベース部位２１は一定の幅を有し、湾曲している。着用時のバストセンター側の部位において、サポート材２０Ａは、上方に突出する突出部位２２を有している。突出部位２２によって、サポート材２０Ａの一端が上方に拡幅している。
【００２４】
サポート材２０Ａの外形は、下側に凸となる弓なりのカーブを描く下湾曲辺２３ａと、下湾曲辺２３ａの内側端部から連続して上方に直線状に延びる内端辺２３ｂと、内端辺２３ｂの上端部から上に凸となる山なりのカーブを描く突形辺２３ｃと、突形辺２３ｃの他端部から連続し下側に凸となる弓なりのカーブを描く上湾曲辺２３ｅと、上湾曲辺２３ｅと下湾曲辺２３ａの外側の端部を直線状につなぐ外端辺２３ｆと、で囲まれる形状に構成されている。
突形辺２３ｃの外形は、センター側の外形が内端辺２３ｂの上端部から突形辺２３ｃの頂部である上端部２５ａまで緩やかなＳ字状のカーブを描き、外側の外形が上端部２５ａから上湾曲辺２３ｅまで緩やかな逆Ｓ字状のカーブを描くように構成されている。
【００２５】
換言すると、サポート材２０Ａの正面視において、上湾曲辺２３ｅ側及び内端辺２３ｂ側から頂部まで外形が曲線で連続することで突形辺２３ｃが形成され、ベース部位２１上に突出部位２２が連続して形成される。
【００２６】
サポート材２０Ａは、樹脂性の繊維である経糸２６ａと緯糸２６ｂとで構成されるメッシュ構造である。サポート材２０Ａは、通気用の孔部２４を多数有する。例えばサポート材２０Ａは、所定の間隔で並列配置された経糸２６ａと、経糸２６ａと異なる方向に沿って所定の間隔で複数並列配置された緯糸２６ｂとの交差部位が熱圧着等によって接合され構成されている。
【００２７】
サポート材２０Ａは、例えばショア硬度Ｄ５０ＨＳ以下の熱可塑性樹脂で形成される。柔軟性を考慮すると硬度はＤ１５〜４３ＨＳとし、特にショア硬度Ｄ２０〜３８ＨＳが望ましい。本実施形態では一例としてゴム弾性を持ち柔軟性があるＥＶＡ（ethylene-vinyl acetate）を用いる。なお、柔軟性の観点から熱可塑性樹脂以外では、熱可塑性エラストマーやシリコンを使用してもよい。
【００２８】
経糸２６ａ及び緯糸２６ｂの幅寸法は、０．５ｍｍ〜９ｍｍが好ましい。すなわち、０．５ｍｍ以下になると、保形性が低下し、９ｍｍ以上になると樹脂量が増し着用感を損なう。本実施形態では例えば、１．７ｍｍとする。サポート材２０Ａの厚み寸法は、０．３〜２．０ｍｍが好ましい。すなわち、０．３ｍｍ以下になると、保形性のための強度が得られず、２ｍｍ以上になると、素材が厚くなり着用感を損なう。例えば、本実施形態においてはサポート材２０Ａの厚み寸法は０．９ｍｍ、（交差点で１．６ｍｍ）に構成する。
【００２９】
サポート材２０Ａの孔部２４の開口面積は２．８〜８１．０ｍｍ２とする。樹脂材料にもよるが、２．８ｍｍ２を下回ると、モールド加工により、孔部が塞がり通気性を低下させることから、２．８ｍｍ２以上が望ましい。一方で、８１ｍｍ２以上になると、孔が大きく、保形性に影響を及ぼすため、８１．０ｍｍ２以下が望ましい。例えば本実施形態において、サポート材２０Ａの孔部２４の面積は、３．２ｍｍ２程度に構成する。
【００３０】
また、本実施形態におけるサポート材２０Ａの孔部２４による空隙率は２６％である。なお、モールド成形後のサポート部２０における空隙率は２０％以上８０％以下が望ましい。
図１乃至図３に示すように、サポート部２０は、平面状のシートであるサポート材２０Ａが、カップ部１０の他のカップ層１１，１２，１３とともにモールド加工されることで構成される。サポート部２０は、バストの形状に沿うように、上下方向及び左右方向に傾斜する曲面を有しており、カップ部１０の下側の一部の形状に沿う曲面を成す。図４に示すように、ベース部位２１の断面は、上側が表側に位置するように傾斜している。
【００３１】
図１乃至図３に示すように、サポート部２０は、カップ部１０のセンター側から下縁を通って外側端に至る領域に対応して配置され、センター側と外側の両方から、バストを、上方及びカップ部１０のトップの位置に向けて、支持する。
【００３２】
サポート部２０の面積は、カップ部１０の表面積の９％以上とする。また、サポート部２０のベース部位２１の幅寸法は９ｍｍ以上であって、カップ部１０の下縁辺両端に至って配置されている。サポート部２０は、弾性変形可能であるとともに、カップ部１０を構成する他のクッション材で構成されるカップ層１１，１２，１３よりも硬さが硬く、高い保形性を備えている。
【００３３】
サポート部２０の突出部位２２は、バストのセンター側に対応する位置に配置される。突出部位２２の頂部であるセンター側の上端部２５ａの位置は、カップ部１０のうち最も表側に隆起するトップ位置１０ａよりも、上方に位置している。
【００３４】
サポート部２０のセンター側の上端部２５ａと、外側の上端部２５ｃは、いずれもカップ部１０のトップ位置１０ａよりも上方に配置されている。センター側の上端部２５ａは、外側の上端部２５ｃと同等あるいは上端部２５ｃよりも上方に配置されている。
【００３５】
また、突出部位２２の頂部である上端部２５ａは、一対のサポート部２０の連結部分であるブラジャー１のセンター側の端部２５ｄより、上方であってカップ部１０の中央側に位置する。すなわち、突出部位２２は、センター部にある内端辺２３ｂから、表側に隆起するように傾斜しながら、上方及びカップ部１０の中央側に延びている。
【００３６】
ブラジャー１のカップ部１０の製造工程について図４を参照して説明する。まず第１カップ層１１及び第３カップ層１３にそれぞれ生地をラミネートする。次に、第１のカップ層１１及び第３カップ層１３をそれぞれモールド加工する。さらに、成形後の第２のカップ層１２にサポート材２０Ａを配置して位置合わせし、第３のカップ層１３と重ねてモールド加工を施す。その後、すべてのカップ層１１，１２，１３，及びサポート部２０を合わせて再度モールド加工を施す。さらに、再びモールド加工されて一体のカップ状の積層構造物の表面側に、表地１４を合わせ、裏側に下辺テープ１６を配置して所定箇所を縫合材１７で縫製することで、カップ部１０が完成する。以上のように構成された一対のカップ部１０の、サポート材２０Ａの内端辺２３ｂ同士をセンター位置で突き合わせ、一対のカップ部１０を連結して縫合する。
【００３７】
本実施形態にかかるブラジャー１及びサポート材２０Ａは、サポート材２０Ａが低硬度の熱可塑性樹脂でメッシュ状に構成され、弾性変形可能である。したがって、着用者の動きに追従して変形できるため着用性がよい。
【００３８】
また、サポート材２０Ａを、孔部２４を複数有するメッシュ状に構成したため、通気性が向上する。このため、例えば、従来の樹脂プレートでは、蒸れを考慮するために、広い面積とすることができないが、本実施形態によれば、サポート部２０を比較的大きい面積とすることができる。したがって、衣類としての保形性が高く、また広い面でバストを支えることが可能となるため高い補正機能を確保できる。すなわち孔部２４を有する樹脂製のサポート材２０によって、金属ワイヤーを使わずに、金属ワイヤー同等の保形性及び補正機能が実現でき、しかも、ノンワイヤーのような着用感が得られる。
【００３９】
また、本実施形態にかかるブラジャー１のサポート部２０は、バストのセンター側に対応する位置に突出部位２２を配置することで、バストの谷間を美しく表現することが可能となる。すなわち、通常、ブラジャーのサポート材は、バストを寄せることを主眼として外側を重点的にサポートするため、センター側には保持部材がなく、このためカップのセンター側のエッジがバストに押されゆがみが生じやすい。一方、本実施形態によればバストのセンター側に、突出部位２２が位置することで、センター側からもバストを支持することが可能となり、カップ部の安定性・保形性が向上する。このため、バストの谷間をより美しくみせることができる。
【００４０】
また、サポート部２０は樹脂製のメッシュ構造であるため伸縮性があってフレキシブルに動きやすいため運動追従性が良い。さらに、サポート部２０は、弾性変形可能であるため、塑性変形しにくく、またカップ材の破損も防止できるため、洗濯耐久性がよく、快適な着け心地を保つことが出来る。
【００４１】
また、サポート部２０をメッシュ構造としたことで、均等な空隙があるため熱圧着により樹脂が均等に溶けやすい。さらに、上記実施形態のサポート材２０Ａは経糸２６ａと緯糸２６ｂとの高さ位置の違いによってメッシュ構造の表面に形成される凹凸によって、接着面積が広がり接着しやすい。さらに、空隙があるためモールド加工時に屈曲し易くカップの立体形状になじみやすい。したがって、第２のカップ層１２と第３のカップ層１３との間の所定位置にサポート材２０Ａがしっかりと接合され、位置ずれを防止できる。
【００４２】
なお、本発明は上記各実施形態そのままに限定されるものではなく、実施段階ではその要旨を逸脱しない範囲で構成要素を変形して具体化できる。
【００４３】
例えば上記実施形態においては、サポート材２０Ａはセンター側端部にのみ、突出部位２２を備える構成を例示したが、これに限られるものではない。例えば図７に示すように、センター側端部に加え、外側端部においても上方に突出する突出部位２８を備えてもよい。この場合にも上記実施形態と同様の効果を奏することができる。
【００４４】
また、突出部位の形状は上記実施形態に限られず、ベース部位のセンター側から上方に突出していればよく、例えば突出部位の先端位置がカップ部１０のトップ位置と同等か下側に位置する場合であっても、センター側からバストを支持することでバストの補正機能を向上することができる。
【００４５】
例えば上記実施形態ではブラジャー１に適用した例を示したが、これに限られるものではなく他の形態のブラジャーはもちろん、スリップ、タンクトップ、シャツ、ワンピースなどバストに着用する種々の衣類に用いることができる。上記実施形態においてブラジャー１はクッション材と一体化したタイプを例示したが、これに限られるものではなく、別体のパッドを収納可能なポケットを有する構造としてもよい。また、成型によるモールド加工品のみならず、カットソーのカップに対しても適用可能である。
【００４６】
サポート材２０Ａの構造は、上記実施形態にて例示したメッシュ構造に限られるものではない。例えば円形状のホールを多数有するメッシュであってもよい。さらに、組み合わせる繊維は、単一ではなく、複数の幅を組み合わせてもよい。孔の大きさも、単一ではなく、複数種類の大きさを組み合わせることが可能である。また、部分的に単位面積当たりの空隙率を変えてもよい。この場合、部位によって柔軟性に変化をつけることが可能となる。
【００４７】
また、サポート材２０Ａの圧着方法は、熱圧着に限られるものではなく、例えばカップ材と積層させて縫製、もしくは、挿入、もしくは、グルーにより接着することも可能である。また、上記実施形態では、ポリウレタンによるモールド加工を記載したが、これに限るものではなく、例えばダブルラッセル、ファイバーフィル等の他の素材を用いてもよい。また、カットソーの素材についてもポリウレタン、ダブルラッセル、ファイバーフィル等を用いてもよい。
【００４８】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００４９】
１…ブラジャー（バスト用衣類）、１０…カップ部、１０ａ…トップ位置、１１…第１のカップ層、１２…第２のカップ層、１３…第３のカップ層、１４…表地、１６…下辺テープ、１７…縫合材、２０…サポート部、２０Ａ…サポート材、２１…ベース部位、２１Ａ…ベース部位、２２…突出部位、２３ａ…下湾曲辺、２３ｂ…内端辺、２３ｃ…突形辺、２３ｅ…上湾曲辺、２３ｆ…外端辺、２４…孔部、２６ａ…経糸、２６ｂ…緯糸、３１…ベルト部、３２…ショルダーストラップ。
【図１】
2016211115.tif 000003
【図２】
2016211115.tif 000004
【図３】
2016211115.tif 000005
【図４】
2016211115.tif 000006
【図５】
2016211115.tif 000007
【図６】
2016211115.tif 000008